(57)【要約】      （修正有）【課題】針にテグスを簡単に結束できるようにする。【解決手段】軸方向に長い筒本体２を用いて構成され、テグス先端８ａが筒本体先端よりも先方に突出した長い状態としてテグス８が筒本体２に押さえつけられた状態でテグス先端部８ａを、一巻き目でクロス８ｂするようにして基端側に向けて複数回テグス８が巻き付けられるテグス巻部４と、該テグス巻部４に巻き付けたテグス先端部を筒外面から筒内面に通すための長溝３と、該筒内面に通したテグス先端部を筒本体先端から引き出す引き出し路になると共に、針９の基端部を筒本体先端から抜き差し自在に挿入する挿入路にもなる筒内面部５とからなり、テグス巻部４は、前記挿入した被結束部材を筒内面部から引き出す際に、テグス巻部に巻き付けたテグスも共に引き出せるよう平滑面になっている。【選択図】図１
0003131596.tif 000002
【実用新案登録請求の範囲】
【請求項１】
軸方向に長い筒本体を用いて構成され、該筒本体の先端部筒外面として形成され、テグス先端が筒本体先端よりも先方に突出した長い状態としてテグスが筒本体に押さえつけられ、この押さえつけ状態でテグス先端部を、一巻き目でテグスをクロスするようにして基端側に向けて複数回テグスが巻き付けられるテグス巻部と、
該テグス巻部に巻き付けたテグス先端部を筒外面から筒内面に通すためのテグス通し部と、
該筒内面に通したテグス先端部を筒本体先端から引き出す引き出し路になると共に、被結束部材の基端部を筒本体先端から抜き差し自在に挿入する挿入路にもなる筒内面部とからなり、
テグス巻部は、前記挿入した被結束部材を筒内面部から引き出す際に、テグス巻部に巻き付けたテグスも共に引き出せるよう平滑面になっていることを特徴とする釣り用テグスの結束器。
【考案の詳細な説明】
【技術分野】
【０００１】
本考案は、釣り用のテグス（ライン、ハリス）を針に結束したり、テグス同士を結束するために用いられる釣り用テグスの結束器の技術分野に属するものである。
【背景技術】
【０００２】
一般に、魚釣りをする場合、針にテグスを結束したものを用いることになるが、このような結束を行う作業は、手の器用さも要求され、しかもその手順は、魚係りした場合にテグスが滑って外れないよう確実な結束にする必要があるため、意図を潜らせたり回したりする必要があって面倒かつ煩雑であるという問題がある。
そこで偏筒状の糸保持部を備えた結束器を用いて結束するようにしたものが知られている（例えば特許文献１参照）。
【特許文献１】特開平１０−２１５７４４号公報
【考案の開示】
【考案が解決しようとする課題】
【０００３】
ところがこのものは、偏筒部に設けた針係止部に針を係止した状態で該偏筒部にテグスを巻き付けて結束を行うものであるため、結束作業中に針が何かに引っかかったりして外れたりしやすく、円滑な結束作業が損なわれやすい、という問題があり、ここに本考案の解決すべき課題がある。
【課題を解決するための手段】
【０００４】
本考案は、上記の如き実情に鑑みこれらの課題を解決することを目的として創作されたものであって、請求項１の考案は、軸方向に長い筒本体を用いて構成され、該筒本体の先端部筒外面として形成され、テグス先端が筒本体先端よりも先方に突出した長い状態としてテグスが筒本体に押さえつけられ、この押さえつけ状態でテグス先端部を、一巻き目でテグスをクロスするようにして基端側に向けて複数回テグスが巻き付けられるテグス巻部と、該テグス巻部に巻き付けたテグス先端部を筒外面から筒内面に通すためのテグス通し部と、該筒内面に通したテグス先端部を筒本体先端から引き出す引き出し路になると共に、被結束部材の基端部を筒本体先端から抜き差し自在に挿入する挿入路にもなる筒内面部とからなり、テグス巻部は、前記挿入した被結束部材を筒内面部から引き出す際に、テグス巻部に巻き付けたテグスも共に引き出せるよう平滑面になっていることを特徴とする釣り用テグスの結束器である。
【考案の効果】
【０００５】
請求項１の考案とすることにより、確実なテグスの結束が簡単にできることになるが、針に代表される被結束部材は、テグスの巻き付け作業が全て終了した段階で筒内面部に挿入したものを、テグス巻部に巻き付けたテグスと共に引き抜くことでテグスが巻き付けられた状態に簡単にできることになり、この結果、予め被結束部材を取付けた状態でテグスの巻き掛け作業をするもののように、被結束部材がテグス巻き付け作業の途中で何かに引っかかって抜けてしまうような不具合がなく、迅速かつ確実なテグスの結束ができることになる。
【考案を実施するための最良の形態】
【０００６】
次ぎに、本考案の実施の形態について、図面を用いて説明する。図面において、１は結束器であって、該結束器１は、筒本体２から構成されるが、該筒本体２は本実施の形態では円筒体によって形成されている。円筒体２の先端部は、本考案のテグス通し部になる長溝（貫通孔であっても本考案を実施することができる。）３が切欠かれ、平滑な筒外面がテグス巻部４に、筒内面がテグスおよび被結束体である針基端部を挿通する筒内面部５となっている。因みに、本実施の形態の結束器１は、先端６が傾斜状のカットになっており、また基端部にはリング７が設けられていてピンインリール等の係止具やストラップに取付けることができるようになっている。
【０００７】
次に結束手順について図面を用いて説明する。まず、テグス巻部４において、長溝３から周回り方向に外れた向位置テグス８を軸方向に向けて配するが、この場合、テグス８は、先端が筒本体２の先端６よりも先方に突出した長い状態として長溝３の基端側でテグス８を一方の手の親指でテグス巻部４の基端側に押さえつける（図２（Ａ）参照）。この状態で他方の手で摘まんでいるテグス先端部８ａを、テグス巻部４に巻き付ける（図２（Ｂ）参照）ことになるが、一巻き目にテグス８をクロス８ｂさせて基端側に巻き付けた（図２（Ｃ）参照）ものを、さらにそのまま基端側に向く状態で複数回（例えば４〜５回程度）巻きつける（図２（Ｄ）参照）。しかる後、巻き付けテグス８ｃよりも基端側にあるテグス先端部８ａを長溝３の基端側から筒内面に入れ、筒内面部５を通して筒先端６から引き出す（図２（Ｅ）参照）。この状態で、必要ならテグス８を引っ張る等して巻き付けテグス８ｃを整列させる状態で寄せる（図３（Ａ）参照）。このとき、該巻き付けテグス８ｃの緩みを防止するため、テグス先端部８ａを長溝３から筒外面側に引き出した状態で、左右何れか一方に引っ張ってテグス巻部４と巻き付けテグス８ｃとのあいだに挟み込ませて挟持するようにしておいてもよい（図３（Ｂ）（Ｃ）参照。因みに、長溝に換えて孔にした場合にはこの作業はできない。）。次いで針９の基端部９ａを筒本体２の先端３から通し部５に挿入し（図３（Ｄ）（Ｅ）参照）、しかる後、該挿入した針９と共に、前記巻き付けテグス８ｃを筒本体２から引き抜く（図４（Ａ）参照）と、巻き付けテグス８ｃが針９に緩く巻き掛けられた状態となり（図４（Ｂ）参照）、この状態でテグス８を引いて巻き付けテグス８ｃの緩みを取り（図４（Ｃ）参照）、そして巻き付けテグス８ｃを針９の基端部９ａに形成される係止耳９ｂ位置まで移動させ（図４（Ｄ）参照）、さらにテグス８を確りと引っ張った後、余分なテグス８ｄをカットする（図４（Ｅ）参照）ことでテグスの針９への結束が完了する（図４（Ｆ）参照）。
【０００８】
叙述のごとく構成された本考案の実施の形態において、テグス８を、テグス巻部４に対し、一巻き目はクロスするようにして基端側に向けて複数回テグスが巻き付けた後、該テグス巻部４に巻き付けたテグス先端部８ａを、筒外面から筒内面に通したものを内筒面部５を通して筒本体先端３から引き出し、この状態で針基端部９ａを、筒本体先端３から抜き差し自在に挿入してから巻き付けテグス８ｃと共に引き出すことで、テグス８が結束手順に添って巻き付けられた状態に簡単にできることになり、この結果、予め針９を取付けた状態でテグス８の巻き掛け作業をするもののように、針９がテグス巻き付け作業の途中で何かに引っかかって抜けてしまうような不具合がなく、迅速かつ確実なテグスの結束ができることになる。
【０００９】
尚、本考案は前記実施の形態に限定されないものであることは勿論であって、被結束部材としては針に限定されず、テグス同士の結束にも用いることができる。この場合、両方のテグスについて前記結束作業を繰り返すことになることは言うまでもない。
【図面の簡単な説明】
【００１０】
【図１】（Ａ）〜（Ｄ）はテグスの結束器の斜視図、部分拡大断面図、正面図、側面図である。
【図２】（Ａ）〜（Ｅ）は針にテグスを結束する手順の前半の工程を示す説明図である。
【図３】（Ａ）〜（Ｅ）は針にテグスを結束する手順の中半の工程を示す説明図である。
【図４】（Ａ）〜（Ｆ）は針にテグスを結束する手順の後半の工程を示す説明図である。
【符号の説明】
【００１１】
１    結束器
２    筒本体
３    長溝
４    テグス巻部
５    筒内面部
６    先端
８    テグス
９    針
【図１】
0003131596.tif 000003
【図２】
0003131596.tif 000004
【図３】
0003131596.tif 000005
【図４】
0003131596.tif 000006